(57)【要約】【課題】CAD/CAM加工装置の保持具に対して歯科補綴用セラミックス体の周縁方向の確認と位置決めが容易となり、切削加工時に保持具に対して正確に位置決めする事が可能となる歯科補綴用セラミックス体を提供する。【解決手段】歯科補綴用セラミックス体は円形の平面形状で円盤状の外形形状に成形され、50ｍｍ以上の直径を有し、平面方向から見た時に片面上の中心を除く箇所に、外形形状の方向を示す印が設けられている。更に50ｍｍ以上の直径を有する円形部の周縁の少なくとも一部に凸部が形成され、凸部を周縁方向で途切れさせる凹部が形成されていると共に、凹部が少なくとも一箇所以上形成されており、形成された凹部が外形形状の方向を示す印である。【選択図】図１
2018047017.tif 000002
【特許請求の範囲】
【請求項１】
円形の平面形状で円盤状の外形形状に成形され、50ｍｍ以上の直径を有し、平面方向から見た時に片面上の中心を除く箇所に、外形形状の方向を示す印が設けられている歯科補綴用セラミックス体。
【請求項２】
前記直径を有する円形部の周縁の少なくとも一部に凸部が形成され、
凸部を周縁方向で途切れさせる凹部が形成されていると共に、凹部が少なくとも一箇所以上形成されており、
形成された凹部が前記印である請求項１記載の歯科補綴用セラミックス体。
【請求項３】
前記平面方向から見た時の前記凹部の形状と、他面方向から見た時の前記凹部の形状が異なる請求項２記載の歯科補綴用セラミックス体
【請求項４】
前記平面方向から見た時に、前記周縁方向に亘って180°未満の箇所に、少なくとも１つの別の凹部が形成されている請求項２又は３記載の歯科補綴用セラミックス体。
【請求項５】
前記直径を有する円形部の周縁の少なくとも一部に凸部が形成され、
円形部の周縁に接するＤカット面が形成されていると共に、Ｄカット面が少なくとも一箇所以上形成されており、
Ｄカット面が前記印である請求項１記載の歯科補綴用セラミックス体。
【請求項６】
前記平面方向から見た時に、前記周縁方向に亘って180°未満の箇所に、少なくとも１つの別のＤカット面が形成されている請求項５記載の歯科補綴用セラミックス体。
【請求項７】
前記直径を有する円形部の周縁の少なくとも一部に凸部が形成され、
前記円盤状の外形形状の片面又は他面の少なくとも何れかの平面と同一面で突出部が設けられ、
突出部の突出量が凸部の突出量以上であり、
突出部が少なくとも一箇所以上形成されており、
突出部が前記印である請求項１記載の歯科補綴用セラミックス体。
【請求項８】
前記平面方向から見た時の前記突出部の形状と、前記他面方向から見た時の前記突出部の形状が異なる請求項７記載の歯科補綴用セラミックス体。
【請求項９】
前記平面方向から見た時に、前記周縁方向に亘って180°未満の箇所に、少なくとも１つの別の突出部が形成されている請求項７又は８記載の歯科補綴用セラミックス体。
【発明の詳細な説明】
【技術分野】
【０００１】
本発明は、歯科補綴用セラミックス体に関する。
【背景技術】
【０００２】
虫歯等により部分的に欠損した歯の修復に使用される材料として、無機物と有機物とから成るコンポジットレジンと呼ばれる複合材料や、金属或いはセラミックスが用いられている。特にセラミックスは、耐摩耗性に優れるだけで無く、天然歯に近い色調を再現できるので審美性にも優れており、クラウンやブリッジ等の歯科用補綴物の材料として用いられている。
【０００３】
従来、口腔内に装着される歯科用補綴物としては、金属製フレームの表面に天然歯の色調に調整したセラミックスを被覆することにより構成されていたが、補綴物全体をセラミックスで形成した、オールセラミックス補綴物も用いられるようになってきている。オールセラミックス補綴物は、例えば従来の金属製フレームに代えてセラミックス焼結体から成るフレームを用いて、その表面にガラス陶材で外装部(即ちセラミックス層)が形成された物である。
【０００４】
オールセラミックス補綴物は、補綴物全体がセラミックスで形成されているので、生体に金属が接触することで発症する金属アレルギーや、金属色を隠すために設けられる不透明な下地層に起因する天然歯本来の色調が得られないと云った前記審美性等の種々の問題が、抑制或いは解消出来る。
【０００５】
噛み合わせ等の点から、歯科用補綴物には極めて高い寸法精度が要求される為、歯科用補綴物は歯科用のCAD/CAM加工装置により作製される。歯科用のCAD/CAM加工装置を用いる事で、コンピュータを利用して画面上で歯科用補綴物の形状設計を行う事が出来ると共に、セラミックスのブロック体を自動切削加工によって設計済みの歯科用補綴物の形状に切削加工して、所望の歯科用補綴物を作製する事が可能となる。依って、短時間で高品質のセラミックス製歯科用補綴物を、数多く作製する事が出来る。
【０００６】
この歯科用のCAD/CAM加工装置を用いた製造方法を大別すると、以下の３つの方法が挙げられる。第１の方法は、セラミックス焼結体を切削加工する方法である。第２の方法は未焼結のセラミックス成形体を切削加工して、その後切削加工を施したセラミックス成形体を焼結する方法である。第３の方法は仮焼結したセラミックス体を切削加工し、その後焼結する方法である。
【０００７】
前記第１の方法は、1300〜1600℃程度で焼結又は熱間静水圧加圧（HIP：Hot Isostatic Pressing）処理したセラミックス焼結体を切削加工する方法で、切削加工後のセラミックス体の寸法変化が無い。従って、CAD/CAM加工装置の計測機や加工機の精度に応じた、寸法精度の高い歯科用補綴物を製造出来る。その反面、セラミックス焼結体の硬度が高いので切削加工時間が長くなると共に、ドリル等の工具寿命が短くなって製造コストが高騰化すると云う問題がある。
【０００８】
前記第２の方法は、焼結時の収縮率を考慮してセラミックス成形体を切削加工し、その後1300〜1600℃で焼結を行う方法である。セラミックス成形体の成形条件及び密度管理によって一定の収縮率が得られる事から、前記第１の方法と同様に寸法精度の高い歯科用補綴物を製造する事が出来る。その反面、脱脂工程を含む事から、焼結に例えば10時間もの長時間を要するとの問題がある。
【０００９】
これらに対し第３の方法は、仮焼結時の収縮率から本焼結の収縮率を算出し、これを考慮してセラミックス体を切削加工し、その後1300〜1600℃で焼結を行う方法である。仮焼結のセラミックス体は、本焼結を行ったセラミックス焼結体よりも低硬度なので切削加工時間を短縮する事が可能となり、工具の寿命が長くなるとの利点が有る。また仮焼結により脱脂が完了していることから、切削後の本焼結時間が短くなるとの利点も有る。その為セラミックスから成る歯科用補綴物の殆どが、第３の方法で作製されている。
【００１０】
更に、仮焼結したセラミックス体の平面形状を円形に成形すると共に、全周囲に凸部を設け、その凸部をCAD/CAM加工装置の保持具によって上下方向から係合し、セラミックス体を保持する方法及びセラミックス体が開示されている（例えば特許文献１参照）。
【先行技術文献】
【特許文献】
【００１１】
【特許文献１】特許第５６９８０９６号公報
【発明の概要】
【発明が解決しようとする課題】
【００１２】
しかし特許文献１の仮焼結体の外観形状は、平面形状が円形であると共に、全周囲に凸部を設けているので、周縁方向並びに上下方向（裏表方向）に亘って同一の外観形状が現れる事となる。
【００１３】
セラミックス体の一部にCAD/CAM加工装置で切削加工を施し、その後再度CAD/CAM加工装置で切削加工を行う際は、前の切削加工時の歯科用補綴物が一部セラミックス体に形成されている事から、周縁方向の確認と位置決めの正確性がより重要となる。しかし、前記特許文献１のセラミックス体ではその周縁方向に亘って同一の外観形状が現れる為、正確に保持具に対してセラミックス体を位置決めすることは困難であった。
【００１４】
本発明は、上記課題に鑑みてなされたものであり、CAD/CAM加工装置の保持具に対して歯科補綴用セラミックス体の周縁方向の確認と位置決めが容易となり、切削加工時に保持具に対して正確に位置決めする事が可能となる歯科補綴用セラミックス体を提供する。
【課題を解決するための手段】
【００１５】
前記課題は、以下の本発明により解決される。即ち本発明の歯科補綴用セラミックス体は、円形の平面形状で円盤状の外形形状に成形され、50ｍｍ以上の直径を有し、平面方向から見た時に片面上の中心を除く箇所に、外形形状の方向を示す印が設けられていることを特徴とする。
【００１６】
更に本発明の歯科補綴用セラミックス体の一実施形態は、50ｍｍ以上の直径を有する円形部の周縁の少なくとも一部に凸部が形成され、凸部を周縁方向で途切れさせる凹部が形成されていると共に、凹部が少なくとも一箇所以上形成されており、形成された凹部が外形形状の方向を示す印であることが好ましい。
【００１７】
更に本発明の歯科補綴用セラミックス体の他の実施形態は、平面方向から見た時の凹部の形状と、他面方向から見た時の凹部の形状が異なることが好ましい。
【００１８】
更に本発明の歯科補綴用セラミックス体の他の実施形態は、平面方向から見た時に、周縁方向に亘って180°未満の箇所に、少なくとも１つの別の凹部が形成されていることが好ましい。
【００１９】
また本発明の歯科補綴用セラミックス体の一実施形態は、50ｍｍ以上の直径を有する円形部の周縁の少なくとも一部に凸部が形成され、円形部の周縁に接するＤカット面が形成されていると共に、Ｄカット面が少なくとも一箇所以上形成されており、Ｄカット面が外形形状の方向を示す印であることが好ましい。
【００２０】
更に本発明の歯科補綴用セラミックス体の他の実施形態は、平面方向から見た時に、周縁方向に亘って180°未満の箇所に、少なくとも１つの別のＤカット面が形成されていることが好ましい。
【００２１】
また本発明の歯科補綴用セラミックス体の一実施形態は、50ｍｍ以上の直径を有する円形部の周縁の少なくとも一部に凸部が形成され、円盤状の外形形状の片面又は他面の少なくとも何れかの平面と同一面で突出部が設けられ、突出部の突出量が凸部の突出量以上であり、突出部が少なくとも一箇所以上形成されており、突出部が外形形状の方向を示す印であることが好ましい。
【００２２】
更に本発明の歯科補綴用セラミックス体の他の実施形態は、平面方向から見た時の突出部の形状と、他面方向から見た時の突出部の形状が異なることが好ましい。
【００２３】
更に本発明の歯科補綴用セラミックス体の他の実施形態は、平面方向から見た時に、周縁方向に亘って180°未満の箇所に、少なくとも１つの別の突出部が形成されていることが好ましい。
【発明の効果】
【００２４】
本発明に係る歯科補綴用セラミックス体に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。
【図面の簡単な説明】
【００２５】
【図１】本発明の第１の実施形態に係る歯科補綴用セラミックス体の斜視図である。
【図２】（ａ）図１の歯科補綴用セラミックス体を矢印Ｐ方向から見た時の平面図である。（ｂ）図１の歯科補綴用セラミックス体を矢印Ｓ方向から見た時の側面図である。
【図３】図２（ａ）の円Ａの部分拡大図である。
【図４】（ａ）第１の実施形態に係る歯科補綴用セラミックス体の、第１の変更例を示す平面図である。（ｂ）図４（ａ）の円Ｂの部分拡大図である。
【図５】図４（ｂ）の変更例を示す部分拡大図である。
【図６】（ａ）第１の実施形態に係る歯科補綴用セラミックス体の、第２の変更例を示す斜視図である。（ｂ）図６（ａ）の歯科補綴用セラミックス体を矢印Ｓ方向から見た時の側面図である。
【図７】第１の実施形態に係る歯科補綴用セラミックス体の、第３の変更例を示す側面図である。
【図８】（ａ）第１の実施形態に係る歯科補綴用セラミックス体の、第４の変更例を示す平面図である。（ｂ）図８（ａ）の円Ｃの部分拡大図である。
【図９】本発明の第２の実施形態に係る歯科補綴用セラミックス体の側面図である。
【図１０】（ａ）図９の歯科補綴用セラミックス体を矢印Ｕ方向から見た時の平面図である。（ｂ）図１０（ａ）の円Ｄの部分拡大図である。
【図１１】（ａ）図９の歯科補綴用セラミックス体を矢印Ｄ方向から見た時の平面図である。（ｂ）図１１（ａ）の円Ｅの部分拡大図である。
【図１２】本発明の第３の実施形態に係る歯科補綴用セラミックス体の斜視図である。
【図１３】図１２の歯科補綴用セラミックス体を矢印Ｐ方向から見た時の平面図である。
【図１４】第３の実施形態に係る歯科補綴用セラミックス体の、変更例を示す平面図である。
【図１５】本発明の第４の実施形態に係る歯科補綴用セラミックス体の斜視図である。
【図１６】図１５の歯科補綴用セラミックス体を矢印Ｐ方向から見た時の平面図である。
【図１７】図１５の歯科補綴用セラミックス体を矢印Ｓ方向から見た時の側面図である。
【図１８】本発明の第５の実施形態に係る歯科補綴用セラミックス体の斜視図である。
【図１９】図１８の歯科補綴用セラミックス体を矢印Ｐ方向から見た時の平面図である。
【図２０】本発明の第６の実施形態に係る歯科補綴用セラミックス体の斜視図である。
【図２１】図２０の歯科補綴用セラミックス体を矢印Ｐ方向から見た時の平面図である。
【図２２】図２０の歯科補綴用セラミックス体を矢印Ｓ方向から見た時の側面図である。
【図２３】第６の実施形態に係る歯科補綴用セラミックス体の、第１の変更例を示す斜視図である。
【図２４】図２４の歯科補綴用セラミックス体を矢印Ｓ方向から見た時の側面図である。
【図２５】第６の実施形態に係る歯科補綴用セラミックス体の、第２の変更例を示す側面図である。
【図２６】本発明の第７の実施形態に係る歯科補綴用セラミックス体の側面図である。
【図２７】本発明の第８の実施形態に係る歯科補綴用セラミックス体の平面図である。
【発明を実施するための形態】
【００２６】
本実施の形態の第一の特徴は、円形の平面形状で円盤状の外形形状に成形され、50ｍｍ以上の直径を有し、平面方向から見た時に片面上の中心を除く箇所に、外形形状の方向を示す印が設けられている歯科補綴用セラミックス体とした事である。
【００２７】
この構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。
【００２８】
なお本発明に於いて円形の平面形状とは、真円の平面形状だけで無く、真円度が１ｍｍ以下の平面形状も含むものとする。
【００２９】
また本発明に於いて円盤状の外形形状とは、片面及び他面が共に平面で、且つ所望の厚みを有する外形形状を指す。
【００３０】
また本発明に於いて外形形状の方向を示す印とは、凹部、Ｄカット面、突出部、インクに依って片面上に書かれた印、罫書きなど消去出来ないように形成された印など、目視可能なものは如何なるものも入るとする。
【００３１】
また本発明に於いて歯科補綴用セラミックス体とは、円盤状の外形形状を有すると共に、仮焼結によって作製されるセラミックスから成る固結体を指す。更に仮焼結とは、セラミック材料から固結体（セラミックスから成る固結体）を作製する工程を指すものであり、慣用的に用いられる半焼結や、仮焼成または半焼成も含むものとする。
【００３２】
また第二の特徴は、50ｍｍ以上の直径を有する円形部の周縁の少なくとも一部に凸部が形成され、凸部を周縁方向で途切れさせる凹部が形成されていると共に、凹部が少なくとも一箇所以上形成されており、形成された凹部が外形形状の方向を示す印であるとした事である。
【００３３】
この構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。
【００３４】
更に凹部を片面上に掛かるように形成し、且つ凸部が途切れる箇所まで凹部を形成し、他面上まで凹部が延伸しないように止め溝となる様に凹部を形成することにより、保持具に対する歯科補綴用セラミックス体の上下方向の確認並びに位置決めも容易になる。
【００３５】
なお本発明に於いて凸部とは、歯科補綴用セラミックス体を側面方向から見た時に、歯科補綴用セラミックス体の周縁方向に亘って凸状に突出して形成されている箇所であり、且つ歯科補綴用セラミックス体の周縁の少なくとも一部に形成されているものを指す。
【００３６】
また本発明に於いて凹部とは、歯科補綴用セラミックス体を平面方向から見た時に、凹状に窪んで形成されている箇所を指す。
【００３７】
また第三の特徴は、平面方向から見た時の凹部の形状と、他面方向から見た時の凹部の形状が異なるとした事である。
【００３８】
また第四の特徴は、平面方向から見た時に、周縁方向に亘って180°未満の箇所に、少なくとも１つの別の凹部が形成されているとした事である。
【００３９】
これらの構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。更に、保持具に対する歯科補綴用セラミックス体の上下方向の確認並びに位置決めも容易になる。
【００４０】
また第五の特徴は、50ｍｍ以上の直径を有する円形部の周縁の少なくとも一部に凸部が形成され、円形部の周縁に接するＤカット面が形成されていると共に、Ｄカット面が少なくとも一箇所以上形成されており、Ｄカット面が外形形状の方向を示す印であるとした事である。
【００４１】
この構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。
【００４２】
また第六の特徴は、平面方向から見た時に、周縁方向に亘って180°未満の箇所に、少なくとも１つの別のＤカット面が形成されているとした事である。
【００４３】
この構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。更に、保持具に対する歯科補綴用セラミックス体の上下方向の確認並びに位置決めも容易になる。
【００４４】
また第七の特徴は、50ｍｍ以上の直径を有する円形部の周縁の少なくとも一部に凸部が形成され、円盤状の外形形状の片面又は他面の少なくとも何れかの平面と同一面で突出部が設けられ、突出部の突出量が凸部の突出量以上であり、突出部が少なくとも一箇所以上形成されており、突出部が外形形状の方向を示す印であるとした事である。
【００４５】
この構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。
【００４６】
また本発明に於いて突出部の突出量とは、50ｍｍ以上の直径で以て形成された片面の周縁から、歯科補綴用セラミックス体の径方向に於ける突出量である。
【００４７】
また第八の特徴は、平面方向から見た時の突出部の形状と、他面方向から見た時の突出部の形状が異なるとした事である。
【００４８】
また第九の特徴は、平面方向から見た時に、周縁方向に亘って180°未満の箇所に、少なくとも１つの別の突出部が形成されているとした事である。
【００４９】
これらの構成に依れば、CAD/CAM加工装置の保持具に対して歯科補綴用セラミックス体の周縁方向の確認と位置決めが容易となり、切削加工時に保持具に対して正確に歯科補綴用セラミックス体を位置決めする事が可能となる。更に、保持具に対する歯科補綴用セラミックス体の上下方向の確認並びに位置決めも容易になる。
【００５０】
以下、図１〜図８を適宜参照して、本発明の第１の実施形態に係る歯科補綴用セラミックス体１とその製造方法を説明する。第１の実施形態に係る歯科補綴用セラミックス体１は、図１に示す様に円盤状の外形形状に成形されており、更に平面方向から見た平面形状は、図２（ａ）に示すように円形である。なお円盤状の外形形状とは、片面及び他面が共に平面で、且つ所望の厚みＴを有する外形形状を指す。また円形の平面形状とは、真円の平面形状だけで無く、真円度が１ｍｍ以下の平面形状も含むものとする。
【００５１】
その円盤状の外形形状の一部に、凹部3aが形成される。図１〜３では、片面2a上及び他面2b上の一部に掛かるように、１箇所の凹部3aが形成されている実施形態を図示している。更にその凹部3aは、片面2a上から他面2b上に亘って厚みＴ方向に対して平行に形成されている。
【００５２】
歯科補綴用セラミックス体１は、歯科用補綴物を切削加工により作製するための、被切削用ブロック体として用いられ、仮焼結によって作製されるセラミックスから成る固結体を指す。更に仮焼結とは、セラミック材料から固結体（セラミックスから成る固結体）を作製する工程を指すものであり、慣用的に用いられる半焼結や、仮焼成、又は半焼成も含むものとする。
【００５３】
歯科補綴用セラミックス体１を形成するセラミック材料は、シリカ、アルミナ、ジルコニア、ハイドロキシアパタイト、β−リン酸三カルシウム（β-TCP）の何れかとする。このセラミック材料は粉末等で用意すれば良い。
【００５４】
また片面2a上及び他面2b上の直径D1は50ｍｍ以上が好ましい。その理由として歯科補綴用セラミックス体１から人間の14本の歯列を形成する為には、50ｍｍ以上が必要となるからである。
【００５５】
なお、直径D1の上限値は特に限定されないが、歯科用のCAD/CAM加工装置に備えられる保持具の許容保持範囲の観点から、100ｍｍ以下が好ましい。
【００５６】
また、歯科補綴用セラミックス体１の厚みＴは任意に設定可能であるが、CAD/CAM加工装置の保持具の許容保持範囲の観点から、10ｍｍ以上30ｍｍ以下が好ましい。
【００５７】
更に歯科補綴用セラミックス体１に於いて、直径D1を有する円形部の周縁の少なくとも一部に、凸部４が形成される。更に、その凸部４を歯科補綴用セラミックス体１の周縁方向で途切れさせる凹部3aが形成されている。凹部3aは少なくとも一箇所以上形成されている。なお不連続に形成された凸部４全体の外周を連続に結んだ時の、仮想線の真円度も１ｍｍ以下とする。
【００５８】
なお本発明に於いて凸部４とは、歯科補綴用セラミックス体１を側面方向から見た時に、歯科補綴用セラミックス体１の周縁方向に亘って凸状に突出して形成されている箇所であり、歯科補綴用セラミックス体１の周縁の少なくとも一部に形成されているものを指す。更に凸部４は、片面2a及び他面2bの周縁から、2.0〜2.25ｍｍほど突出して形成されている。また、凸部の厚みT4は任意に設定可能であるが、CAD/CAM加工装置の保持具の許容保持範囲の観点から、10ｍｍ程度が好ましい。
【００５９】
更に本発明に於いて凹部3aとは、歯科補綴用セラミックス体１を平面方向から見た時に、凹状に窪んで形成されている箇所を指す。
【００６０】
本発明に係る歯科補綴用セラミックス体１に於いては、歯科補綴用セラミックス体１を平面方向から見た時に、片面2a上の中心を除く箇所に、何らかの印が設けられている。この印は、歯科補綴用セラミックス体１の外形形状の方向を示す。第１の実施形態では、凹部3aが外形形状の方向を示す印となる。
【００６１】
凹部3aを形成することにより、凹部3aが外形形状の方向を示す印となるので、歯科補綴用セラミックス体１の周縁方向に亘って同一の外観形状が現れる事を防止出来る。歯科補綴用セラミックス体１の一部にCAD/CAM加工装置で切削加工を施し、その後再度CAD/CAM加工装置で切削加工を行う際は、前の切削加工時の歯科用補綴物が一部、歯科補綴用セラミックス体１に形成されているので、周縁方向の確認と位置決めの正確性がより重要となる。
【００６２】
そのような使用状況でも本発明に係る歯科補綴用セラミックス体１では凹部3aが外形形状の方向を示す印となるので、その周縁方向に亘って同一の外観形状が現れる事が防止される。従って、保持具に対して歯科補綴用セラミックス体１の周縁方向の確認と位置決めが容易となり、切削加工時に保持具に対して正確に歯科補綴用セラミックス体１を位置決めすることが出来る。
【００６３】
なお凹部3aを形成する事により上記効果が得られれば良いので、凹部3aの幅寸法は目視可能な程度まで形成されれば良い。
【００６４】
次に、歯科補綴用セラミックス体１の製造方法に付いて説明する。まず前記の様なセラミック材料を用意すると共にそのセラミック材料を成形して、歯科補綴用セラミックス体１の様な円盤状の外形形状と凸部４を形成する。成形はプレス成型又は工作機械による成形とする。工作機械としては、フライス旋盤やマシニングセンター（machining center）等が挙げられる。
【００６５】
次に成形したセラミック材料を、理論密度が得られる焼結温度から、-700℃以上且つ-100℃以下で仮焼結して、複数の隙間を有する多孔体から成る歯科補綴用セラミックス体１を用意する。
【００６６】
なお理論密度が得られる焼結温度とは、所望のセラミック材料で作製されたセラミックス焼結体が理論密度を得られる際の焼結温度を指す。具体的には理論密度として、シリカ2.20ｇ／ｃｍ３、アルミナ3.99ｇ／ｃｍ３、ジルコニア6.07ｇ／ｃｍ３、ハイドロキシアパタイト3.16ｇ／ｃｍ３、β-TCP3.07ｇ／ｃｍ３の各理論密度が得られるセラミックス焼結体が形成された際の焼結温度を指す。この焼結温度から、-700℃以上且つ-100℃以下で焼結する。
【００６７】
理論密度が得られる各セラミックス焼結体の焼結温度の一例は、次の通りである。シリカ1400℃、アルミナ1550℃、ジルコニア1450℃、ハイドロキシアパタイト1300℃、β-TCP1300℃。
【００６８】
多孔体の歯科補綴用セラミックス体１の仮焼結温度は、セラミック材料の種類や粒度に依るが、仮焼結が進んでも多孔体の気孔が塞がらない温度以下が望ましく、具体的な数値範囲としては850℃以上且つ1050℃以下で仮焼結する事が望ましい。仮焼結する雰囲気は、空気中でも良いし、窒素やアルゴン等の希ガスと云った非酸化雰囲気でも良い。
【００６９】
多孔体の作製方法としては、前記の様にセラミック材料の粉末を成形して仮焼結するか、セラミック材料の粉末に有機質バインダ又は無機質バインダを添加して成形し仮焼結しても良い。
【００７０】
更に、凸部４が形成された多孔体の歯科補綴用セラミックス体１に、凹部3aを形成する。凹部3aの形成は、フライス旋盤のエンドミルやグラインダー（grinder）又はマシニングセンター等と云った工作機械による加工で形成可能である。或いは、前記凸部４のプレス成型と同時に、凹部3aもプレス成型によって形成しても良い。
【００７１】
なお、本実施形態に係る歯科補綴用セラミックス体１は種々変更可能であり、例えば第１の変更例として図４に示すように、平面方向から見た時に凹部3aを片面2a上及び他面2b上に掛からないように形成しても良い。同様に、図５に示すように、凹部3aの形状を矩形状とし、直径D1を有する円形部の周縁に点接触するように凹部3aを形成しても良い。
【００７２】
或いは図６に示すように、凹部3aを片面2a上に掛かるように形成し、且つ凸部４が途切れる箇所まで凹部3aを形成すると共に、そこで凹部3aの形成を止めて他面2b上までは凹部3aが延伸しないように変更しても良い。即ち、凹部3aが凸部４の箇所で止め溝となる様に形成される。
【００７３】
このように凹部3aを止め溝となるように変更する事により、凹部3aが片面2a上に掛かると共に、他面2b上には形成されない為、歯科補綴用セラミックス体１の上下方向に亘る外観形状が同一とならない。従って、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。
【００７４】
或いは図７に示すように、凹部3aを片面2a上から他面2b上に亘って、凸部４が周縁方向で途切れるように、厚みＴ方向に対して斜めに形成しても良い。
【００７５】
或いは図８に示すように、凹部3aの形成による凸部４の角を面取部５で以て面取りして、凸部４の角の欠けを防止しても良い。
【００７６】
次に、図９〜図１１を適宜参照して、本発明の第２の実施形態に係る歯科補綴用セラミックス体１を説明する。なお説明の便宜上、第２の実施形態に係る歯科補綴用セラミックス体も歯科補綴用セラミックス体１と表記し、第１の実施形態の歯科補綴用セラミックス体１と重複する説明は省略し、異なる部分のみ説明する。
【００７７】
第２の実施形態の歯科補綴用セラミックス体１が第１の実施形態と異なる点は、平面方向（例えば片面2a方向）から見た時の凹部3aの形状と、他面2b方向から見た時の凹部3aの形状が異なる、という点である。
【００７８】
平面方向から見た時の凹部3aの形状とは、図９の歯科補綴用セラミックス体１を矢印Ｕ方向から見た時の凹部3aの形状である。一方、他面2b方向から見た時の凹部3aの形状とは、図９の歯科補綴用セラミックス体１を矢印Ｄ方向から見た時の凹部3aの形状である。更に本実施形態では、凹部3aは、それぞれ片面2a上及び他面2b上に掛かるように形成されている。
【００７９】
本実施形態では、図９及び図１０より矢印Ｕ方向から見た時に、凹部3aは片面2a上で幅W1で以て形成されている。一方、図９及び図１１より矢印Ｄ方向から見た時に、凹部3aは他面2b上で幅W1よりも狭い幅W2で以て形成されている。更に、幅W1とW2の寸法の相違は目視可能な程度に設定する。
【００８０】
従って、第２の実施形態の構成に依れば、歯科補綴用セラミックス体１の上下方向に亘る外観形状が、幅W1とW2の寸法の相違により同一とならない。よって、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。
【００８１】
なお、平面方向から見た時の凹部3aの形状と、他面2b方向から見た時の凹部3aの形状が異なっていれば良いので、凹部3aの形状の相違は幅W1、W2の相違に限定されない。
【００８２】
また、凹部3aは必ずしも片面2a上及び他面2b上に掛かっていなくても良く、凸部４の上下で凹部3aの幅寸法を相違させても、同様の効果が得られる。
【００８３】
また第２の実施形態も、前述の図６〜図８の技術要素を種々適用可能である。
【００８４】
次に、図１２と図１３を適宜参照して、本発明の第３の実施形態に係る歯科補綴用セラミックス体１を説明する。なお説明の便宜上、第３の実施形態に係る歯科補綴用セラミックス体も歯科補綴用セラミックス体１と表記し、第１及び第２の実施形態の歯科補綴用セラミックス体１と重複する説明は省略し、異なる部分のみ説明する。
【００８５】
第３の実施形態の歯科補綴用セラミックス体１が前記各実施形態と異なる点は、予め一箇所の凹部3aが形成されることに加えて、歯科補綴用セラミックス体１を平面方向（図１２の矢印Ｐ方向）から見た時に、歯科補綴用セラミックス体１の周縁方向に亘って180°未満の箇所に、少なくとももう１つの別の凹部（3b又は3c）が形成されている点である。
【００８６】
図１３は、図１２の歯科補綴用セラミックス体１を矢印Ｐ方向から見た時の平面図である。図１３より、凹部3aの中心と片面2a上の中心を通るように、一点鎖線CLが図示されている。従って凹部3aを基準とすると、片面2a上の中心を通って180°の箇所とは、一点鎖線CL上の箇所となる。しかし、一点鎖線CL上には凹部3aのみ形成されているだけで、別の凹部3b又は3cは、異なる箇所に形成されている。
【００８７】
凹部3aの中心位置を基準として、図１３では時計回りの周縁方向に亘って、180°未満の任意の箇所に、凹部3bが形成されている。一方、反時計回りの周縁方向に亘って、180°未満の任意の箇所に、凹部3cが形成されている。
【００８８】
以上のように、一箇所の凹部3aを基準として、180°未満の任意の箇所に、少なくとも１つの別の凹部（3b又は3c）が形成されている。従って、歯科補綴用セラミックス体１を上下反転した時に、どれか１つの凹部（例えば凹部3a）を基準とすると、他の凹部（3b又は3c）は一点鎖線CLに対して線対称に現れる。しかし歯科補綴用セラミックス体１の全体形状は上下反転しても同一形状には現れない。
【００８９】
従って、歯科補綴用セラミックス体１の上下方向に亘る外観形状が同一に現れない。よって、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。更に、各凹部3a〜3cに於ける矢印Ｐ方向から見た時の形状を異ならせる事により、より一層歯科補綴用セラミックス体１の上下方向の確認を、確実に行うことが可能となる。
【００９０】
凹部の形成個数は任意に設定可能である。但し、各凹部の中心位置を等間隔に設ける場合（例えば３つの凹部を120°等間隔に設ける場合など）、各凹部を平面方向（図１２の矢印Ｐ方向）から見た時の形状を異ならせていることが、歯科補綴用セラミックス体１の周縁方向と上下方向の確認の点から望ましい。
【００９１】
なお図１３より、第３の実施形態の凹部3aの幅は、第１の実施形態の凹部3aの幅よりも狭く図示している。更に凹部3bの幅は凹部3aの幅よりも広く設定していると共に、凹部3cの形状は、矢印Ｐ方向から見た時に、他の２つの凹部3a、3bとは異なるように形成されている。
【００９２】
凹部は図１２、１３の例のように三箇所に限定されず、最低限二箇所とし180°未満の任意の箇所に設けられていれば、二箇所の凹部が平面方向から見た時に同一形状であっても問題無い。また凹部を４箇所以上設けても良い。
【００９３】
また第３の実施形態も、前述の図４〜図８の技術要素を種々適用可能である。
【００９４】
凹部を複数形成する場合は図１４に示すように、最低限１つの凹部（図１４では3a）を片面2a又は他面2bに係るように形成すれば、他の凹部（図１４では3b）は凸部４のみに掛かるように形成しても、歯科補綴用セラミックス体１の周縁方向と上下方向の確認が可能となる。
【００９５】
次に、図１５〜図１７を適宜参照して、本発明の第４の実施形態に係る歯科補綴用セラミックス体１を説明する。なお説明の便宜上、第４の実施形態に係る歯科補綴用セラミックス体も歯科補綴用セラミックス体１と表記し、前記各実施形態の歯科補綴用セラミックス体１と重複する説明は省略し、異なる部分のみ説明する。
【００９６】
第４の実施形態の歯科補綴用セラミックス体１が前記各実施形態と異なる点は、直径D1を有する円形部の周縁の少なくとも一部に凸部４が形成され、円形部の周縁に接するＤカット面6aが形成されている点である。Ｄカット面6aは歯科補綴用セラミックス体１に少なくとも一箇所以上形成されており、Ｄカット面6aが歯科補綴用セラミックス体１の外形形状の方向を示す印である。
【００９７】
Ｄカット面6aが外形形状の方向を示す印となるので、歯科補綴用セラミックス体１の周縁方向に亘って同一の外観形状が現れる事を防止出来る。歯科補綴用セラミックス体１の一部にCAD/CAM加工装置で切削加工を施し、その後再度CAD/CAM加工装置で切削加工を行う際は、前の切削加工時の歯科用補綴物が一部、歯科補綴用セラミックス体１に形成されているので、周縁方向の確認と位置決めの正確性がより重要となる。
【００９８】
そのような使用状況でも本発明に係る歯科補綴用セラミックス体１ではＤカット面6aが外形形状の方向を示す印となるので、その周縁方向に亘って同一の外観形状が現れる事が防止される。従って、保持具に対して歯科補綴用セラミックス体１の周縁方向の確認と位置決めが容易となり、切削加工時に保持具に対して正確に歯科補綴用セラミックス体１を位置決めすることが出来る。
【００９９】
なおＤカット面6aを形成する事により上記効果が得られれば良いので、Ｄカット面6aの幅寸法は目視可能な程度で形成される事とする。
【０１００】
Ｄカット面6aの形成は、フライス旋盤のエンドミルやグラインダー又はマシニングセンター等と云った工作機械による加工で形成可能である。或いは、凸部４のプレス成型と同時に、Ｄカット面6aもプレス成型によって形成しても良い。
【０１０１】
次に、図１８と図１９を適宜参照して、本発明の第５の実施形態に係る歯科補綴用セラミックス体１を説明する。なお説明の便宜上、第５の実施形態に係る歯科補綴用セラミックス体も歯科補綴用セラミックス体１と表記し、前記各実施形態の歯科補綴用セラミックス体１と重複する説明は省略し、異なる部分のみ説明する。
【０１０２】
第５の実施形態の歯科補綴用セラミックス体１が前記各実施形態と異なる点は、予め一箇所のＤカット面6aが形成されることに加えて、歯科補綴用セラミックス体１を平面方向（図１８の矢印Ｐ方向）から見た時に、歯科補綴用セラミックス体１の周縁方向に亘って180°未満の箇所に、少なくとももう１つの別のＤカット面6bが形成されている点である。
【０１０３】
図１９は、図１８の歯科補綴用セラミックス体１を矢印Ｐ方向から見た時の平面図である。図１９より、Ｄカット面6aの中心と片面2a上の中心を通るように、一点鎖線CLが図示されている。従ってＤカット面6aを基準とすると、片面2a上の中心を通って180°の箇所とは、一点鎖線CL上の箇所となる。しかし、一点鎖線CL上にはＤカット面6aのみ形成されているだけで、別のＤカット面6bは異なる箇所に形成されている。
【０１０４】
Ｄカット面6aの中心位置を基準として、図１９では反時計回りの周縁方向に亘って、180°未満の任意の箇所にＤカット面6bが形成されている。
【０１０５】
以上のように、一箇所のＤカット面6aを基準として、180°未満の任意の箇所に、少なくとも１つの別のＤカット面6bが形成されている。従って、歯科補綴用セラミックス体１を上下反転した時に、どれか１つのＤカット面（例えばＤカット面6a）を基準とすると、他のＤカット面6bは一点鎖線CLに対して線対称に現れる。しかし歯科補綴用セラミックス体１の全体形状は上下反転しても同一形状には現れない。
【０１０６】
従って、歯科補綴用セラミックス体１の上下方向に亘る外観形状が同一に現れない。よって、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。
【０１０７】
Ｄカット面の形成個数は任意に設定可能であるが、最低限二箇所とし180°未満の任意の箇所に設ける事が、歯科補綴用セラミックス体１の周縁方向及び上下方向の確認並びに保持具に対する位置決めの点から、望ましい。またＤカット面を４箇所以上設けても良い。
【０１０８】
次に、図２０〜図２２を適宜参照して、本発明の第６の実施形態に係る歯科補綴用セラミックス体１を説明する。なお説明の便宜上、第６の実施形態に係る歯科補綴用セラミックス体も歯科補綴用セラミックス体１と表記し、前記各実施形態の歯科補綴用セラミックス体１と重複する説明は省略し、異なる部分のみ説明する。
【０１０９】
第６の実施形態の歯科補綴用セラミックス体１が前記各実施形態と異なる点は、直径D1を有する円形部の周縁の少なくとも一部に凸部４が形成され、円盤状の外形形状の片面2a又は他面2bの少なくとも何れかの平面と同一面で突出部7a又は7bが設けられている点である。突出部7a又は7bは歯科補綴用セラミックス体１に少なくとも一箇所以上形成されており、突出部7a又は7bが歯科補綴用セラミックス体１の外形形状の方向を示す印である。
【０１１０】
突出部7a又は7bの、歯科補綴用セラミックス体１の径方向に於ける突出量は、凸部４の突出量以上とする。なお前記突出量とは、直径D1で以て形成された片面2a及び他面2bの周縁から、歯科補綴用セラミックス体１の径方向に於ける突出量である。
【０１１１】
図２０〜図２２の実施形態では突出部7a及び7bの前記突出量は、凸部４の突出量と同等に設定されており、突出部7a及び7bと凸部４の一部とが、一体に連続成形されている形態が図示されている。
【０１１２】
突出部7a又は7bが外形形状の方向を示す印となるので、歯科補綴用セラミックス体１の周縁方向に亘って同一の外観形状が現れる事を防止出来る。歯科補綴用セラミックス体１の一部にCAD/CAM加工装置で切削加工を施し、その後再度CAD/CAM加工装置で切削加工を行う際は、前の切削加工時の歯科用補綴物が一部、歯科補綴用セラミックス体１に形成されているので、周縁方向の確認と位置決めの正確性がより重要となる。
【０１１３】
そのような使用状況でも本発明に係る歯科補綴用セラミックス体１では突出部7a又は7bが外形形状の方向を示す印となるので、その周縁方向に亘って同一の外観形状が現れる事が防止される。従って、保持具に対して歯科補綴用セラミックス体１の周縁方向の確認と位置決めが容易となり、切削加工時に保持具に対して正確に歯科補綴用セラミックス体１を位置決めすることが出来る。
【０１１４】
なお突出部7a又は7bを形成する事により上記効果が得られれば良いので、突出部7a又は7bの幅寸法は目視可能な程度で形成される事とする。
【０１１５】
突出部7a又は7bの形成は、フライス旋盤のエンドミルやマシニングセンター等と云った工作機械による加工で形成可能である。或いは、凸部４のプレス成型と同時に、突出部7a又は7bもプレス成型によって形成しても良い。
【０１１６】
また、突出部7a又は7bの前記突出量は、凸部４の突出量を超えていても良い。
【０１１７】
或いは図２３と図２４に示すように、突出部7bを形成しなくても良い。即ち、突出部7aが凸部４に対して片面2a側のみ形成されるように変更しても良い。このように変更する事で、凸部４の上下で片面2a側のみに突出部7aが形成される為、歯科補綴用セラミックス体１の上下方向に亘る外観形状が同一とならない。従って、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。
【０１１８】
或いは図２５に示すように、突出部7aと7bを凸部４を挟んで周縁方向に亘って、ずらして形成しても良い。
【０１１９】
次に、図２６を適宜参照して、本発明の第７の実施形態に係る歯科補綴用セラミックス体１を説明する。なお説明の便宜上、第７の実施形態に係る歯科補綴用セラミックス体も歯科補綴用セラミックス体１と表記し、前記各実施形態の歯科補綴用セラミックス体１と重複する説明は省略し、異なる部分のみ説明する。
【０１２０】
第７の実施形態の歯科補綴用セラミックス体１が前記各実施形態と異なる点は、平面方向（図２６の上側からの方向）から見た時の突出部7aの形状と、他面2b方向（図２６の下側からの方向）から見た時の突出部7bの形状が異なる、という点である。
【０１２１】
本実施形態では、図２６より平面方向から見た時に突出部7aは、歯科補綴用セラミックス体１の周縁方向に於いて幅W1で以て形成されている。一方、他面2b方向から見た時に、突出部7bは前記周縁方向に於いて幅W1よりも狭い幅W2で以て形成されている。更に、幅W1とW2の寸法の相違は目視可能な程度に設定する。
【０１２２】
従って、本実施形態の構成に依れば、歯科補綴用セラミックス体１の上下方向に亘る外観形状が、幅W1とW2の寸法の相違により同一とならない。よって、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。
【０１２３】
なお、平面方向から見た時の突出部7aの形状と、他面2b方向から見た時の突出部7bの形状が異なっていれば良いので、突出部7a及び7bの形状の相違は幅W1、W2の相違に限定されない。
【０１２４】
また本実施形態も、前述の図２５の技術要素を適用可能である。
【０１２５】
次に、図２７を適宜参照して、本発明の第８の実施形態に係る歯科補綴用セラミックス体１を説明する。なお説明の便宜上、第８の実施形態に係る歯科補綴用セラミックス体も歯科補綴用セラミックス体１と表記し、前記各実施形態の歯科補綴用セラミックス体１と重複する説明は省略し、異なる部分のみ説明する。
【０１２６】
第８の実施形態の歯科補綴用セラミックス体１が前記各実施形態と異なる点は、少なくとも予め一箇所の突出部7aが形成されることに加えて、歯科補綴用セラミックス体１を平面方向から見た時に、歯科補綴用セラミックス体１の周縁方向に亘って180°未満の箇所に、少なくとももう１つの別の突出部7cが形成されている点である。
【０１２７】
図２７より、突出部7aの中心と片面2a上の中心を通るように、一点鎖線CLが図示されている。従って突出部7aを基準とすると、片面2a上の中心を通って180°の箇所とは、一点鎖線CL上の箇所となる。しかし、一点鎖線CL上には突出部7aのみ形成されているだけで、別の突出部7cは異なる箇所に形成されている。
【０１２８】
突出部7aの中心位置を基準として、図２７では反時計回りの周縁方向に亘って、180°未満の任意の箇所に突出部7cが形成されている。
【０１２９】
以上のように、一箇所の突出部7aを基準として、180°未満の任意の箇所に、少なくとも１つの別の突出部7cが形成されている。従って、歯科補綴用セラミックス体１を上下反転した時に、どれか１つの突出部（例えば突出部7a）を基準とすると、他の突出部7cは一点鎖線CLに対して線対称に現れる。しかし歯科補綴用セラミックス体１の全体形状は上下反転しても同一形状には現れない。
【０１３０】
従って、歯科補綴用セラミックス体１の上下方向に亘る外観形状が同一に現れない。よって、前記周縁方向の確認と位置決めに加えて、CAD/CAM加工装置の保持具に対する歯科補綴用セラミックス体１の上下方向の確認並びに位置決めも容易になり、切削加工時に保持具に対して歯科補綴用セラミックス体１の上下方向も、正確に位置決めする事が可能となる。
【０１３１】
突出部の形成個数は任意に設定可能であるが、最低限二箇所とし180°未満の任意の箇所に設ける事が、歯科補綴用セラミックス体１の周縁方向及び上下方向の確認並びに保持具に対する位置決めの点から、望ましい。また突出部を周縁方向に於いて４箇所以上設けても良い。
【０１３２】
また本実施形態も、前述の図２５又は図２６の技術要素を種々適用可能である。
【０１３３】
なお本発明に於いて外形形状の方向を示す印とは、各実施形態で説明した凹部3a〜3cや、Ｄカット面6a、6b、突出部7a〜7cだけで無く、インクに依って片面2a上に書かれた印や、片面2a上の罫書きなどの様な消去出来ないように形成された印など、目視可能なものは如何なるものも入るとする。但しこれら外形形状の方向を示す印は全て、平面方向から見た時に片面2a上の中心を除く箇所に設けられることとする。
【符号の説明】
【０１３４】
１      歯科補綴用セラミックス体
2a      片面
2b      他面
3a、3b、3c      凹部
４      凸部
５      面取部
D1      直径
Ｔ      歯科補綴用セラミックス体の厚み
T4      凸部の厚み
W1      凹部又は突出部の幅
W2      凹部又は突出部の幅
6a、6b      Ｄカット面
7a、7b、7c      突出部
CL      一点鎖線?
【図１】
2018047017.tif 000003
【図２】
2018047017.tif 000004
【図３】
2018047017.tif 000005
【図４】
2018047017.tif 000006
【図５】
2018047017.tif 000007
【図６】
2018047017.tif 000008
【図７】
2018047017.tif 000009
【図８】
2018047017.tif 000010
【図９】
2018047017.tif 000011
【図１０】
2018047017.tif 000012
【図１１】
2018047017.tif 000013
【図１２】
2018047017.tif 000014
【図１３】
2018047017.tif 000015
【図１４】
2018047017.tif 000016
【図１５】
2018047017.tif 000017
【図１６】
2018047017.tif 000018
【図１７】
2018047017.tif 000019
【図１８】
2018047017.tif 000020
【図１９】
2018047017.tif 000021
【図２０】
2018047017.tif 000022
【図２１】
2018047017.tif 000023
【図２２】
2018047017.tif 000024
【図２３】
2018047017.tif 000025
【図２４】
2018047017.tif 000026
【図２５】
2018047017.tif 000027
【図２６】
2018047017.tif 000028
【図２７】
2018047017.tif 000029